(57)【要約】【課題】通信網をＩＰ回線に接続している場合であって、ナンバーディスプレイ・サービスに契約している場合、確実にファクシミリ信号を受信可能とする。【解決手段】リング信号のＯＮ／ＯＦＦ時間を測定することによって、ナンバーディスプレイ・サービスに契約しているか否かを判断する通信先情報報知契約判断部２０３を有し、前記通信先情報報知契約判断部２０３がナンバーディスプレイ・サービスに契約していると判断した場合に、通信時間パラメータである応答待ち時間とリング信号ＯＮ時間の最小値を変更する。【選択図】    図２
2010004313.tif 000002
【特許請求の範囲】
【請求項１】
通信先情報を報知する契約か否かを判断する通信先情報報知契約判断部と、
前記通信先情報報知契約判断部が通信先情報報知契約であると判断した場合に、通信時間パラメータを変更する通信制御部とを有することを特徴とする通信端末装置。
【請求項２】
リング信号のＯＮ／ＯＦＦ時間を測定するリング信号測定部を有し、
前記リング信号測定部の測定結果に基づいて、前記通信先情報報知契約判断部が通信先情報を報知する契約か否かを判断することを特徴とする請求項１に記載の通信端末装置。
【請求項３】
前記通信先情報報知契約判断部は、ナンバーディスプレイ・サービスに契約かどうかを判断することを特徴とする請求項１に記載の通信端末装置。
【請求項４】
前記通信時間パラメータは、当該通信端末装置にリング信号が到来してから、着信があるとするまでの時間であることを特徴とする請求項１に記載の通信端末装置。
【請求項５】
前記通信時間パラメータは、リング信号として有効とされるためのリング信号のＯＮ時間の最小値であることを特徴とする請求項１に記載の通信端末装置。
【請求項６】
アナログ回線か否かを判断する回線判断部を有し、
前記回線判断部がアナログ回線でないと判断した場合、前記通信制御部はＶ．１７モデム機能に変更することを特徴とする請求項１に記載の通信端末装置。
【請求項７】
ＭＯＤＥＭ信号を解析し、その結果、前記ＭＯＤＥＭ信号に含まれる発呼側の電話番号を抽出するＭＯＤＥＭ信号解析部と、
前記ＭＯＤＥＭ信号解析部によって抽出された発呼側の電話番号を出力手段に出力させる表示制御部とを有することを特徴とする請求項１乃至６いずれか一に記載の通信端末装置。
【請求項８】
回線からのリング信号に基づいて、通信先情報報知契約かどうかを判断する通信先情報報知契約判断工程と、
通信先情報報知契約判断工程による判断の結果、通信先情報報知契約である場合、通信時間パラメータを変更するパラメータ変更工程を含むことを特徴とする通信端末装置の受信制御方法。
【請求項９】
回線からのリング信号のＯＮ／ＯＦＦ時間を測定するリング信号時間測定工程を含み、
前記通信先情報報知契約判断工程は、前記リング信号時間測定工程による測定結果に基づいて、通信先情報報知契約かどうかを判断することを特徴とする請求項８に記載の通信端末装置の受信制御方法。
【請求項１０】
前記通信先情報報知契約判断工程は、ナンバーディスプレイ・サービスに契約かどうかを判断する工程であることを特徴とする請求項８に記載の通信端末装置の受信制御方法。
【請求項１１】
前記パラメータ変更工程における前記通信時間パラメータは、当該通信端末装置にリング信号が到来してから、着信があるとするまでの時間であることを特徴とする請求項８に記載の通信端末装置の受信制御方法。
【請求項１２】
前記パラメータ変更工程における前記通信時間パラメータは、リング信号として有効とされるためのリング信号のＯＮ時間の最小値であることを特徴とする請求項８に記載の通信端末装置の受信制御方法。
【請求項１３】
アナログ回線か否かを判断する回線判断工程を含み、
更に、前記回線判断工程における判断結果がアナログ回線でないと判断した場合、モデム機能をＶ．１７モデム機能に変更するモデム機能変更工程を含むことを特徴とする請求項８に記載の通信端末装置の受信制御方法。
【請求項１４】
ＭＯＤＥＭ信号を解析し、その結果、前記ＭＯＤＥＭ信号に含まれる発呼側の電話番号を抽出するＭＯＤＥＭ信号解析工程を含み、
更に、前記ＭＯＤＥＭ信号解析工程によって抽出された発呼側の電話番号を出力手段に出力させる表示制御工程を含むことを特徴とする請求項８乃至１３いずれか一に記載の通信端末装置の受信制御方法。
【発明の詳細な説明】
【技術分野】
【０００１】
本発明はファクシミリ通信機能を有する通信端末装置に関するものである。
【背景技術】
【０００２】
近年、ＩＰ（Ｉｎｔｅｒｎｅｔ  Ｐｒｏｔｏｃｏｌ）網の普及や、ナンバーディスプレイのサービスの提供がなされている。ファクシミリ機能を有した通信端末装置をＩＰ回線に接続する為に、ＴＡ（ターミナルアダプタ）に接続して、且つ、ナンバーディスプレイ・サービスに契約して、ファクシミリ通信を行なうようになっている場合がある。
【０００３】
一方、特開２００４−２８９２１２号公報（特許文献１）には、ファクシミリ装置が設置されている通信網の形態に合わせて、適正にモデムを動作し、かつ遅延を考慮した通信を行なうファクシミリ装置が記載されている。
【特許文献１】特開２００４−２８９２１２号公報
【発明の開示】
【発明が解決しようとする課題】
【０００４】
ここで、ファクシミリ機能を有した受信機をＩＰ回線に接続し、ナンバーディスプレイ・サービスに契約してファクシミリ通信を行なう受信機についての従来における動作について、図４から図７を用いて説明する。
【０００５】
図４は従来の技術を示す受信機の動作タイムチャートである。図示しない受信機の応答待ち時間の設定、即ち当該受信機がリング信号の到来から、着信があるとするまでの待ち時間の設定は、１リング後、５秒後、１０秒後、１５秒後、２０秒後いずれであってもよい。また、リング信号ＯＮ時間の最小値の設定、即ちリング信号として有効とされるためのリング信号のＯＮ時間の最小値であり、この場合は６５０ｍｓとする。モデム機能はＶ．３４、Ｖ．１７のどちらでもよい。
【０００６】
図示しない相手側の送信機からファクシミリ通信が到来すると、交換機よりリング信号（４０１）が受信機に到来する。リング信号ＯＮ時間の最小値が６５０ｍｓなので、ＯＮ時間０．５秒のリング信号（４０１）は有効とならない。
【０００７】
仮に、応答待ち時間が「１リング」であったとしても、リング信号（４０１）である情報受信端末起動信号（４０１）に対して、受信機は着信とはしないので、交換機がナンバーディスプレイシーケンスとして動作せず、送信機の電話番号を含むことを意味するＭＯＤＥＭ信号は送出されない（４１１）。交換機がナンバーディスプレイシーケンスでないと判断したので、交換機はある時間で次のリング信号（４１２）を送出する。この信号はＯＮ時間が０．２５〜０．３秒なので、リング信号ＯＮ時間の最小値の６５０ｍｓに対して、同じく有効とならない。よって、受信機は応答待ち時間のタイムアウトになっても、着信できず通信に移行できない（４１３）こととなる。
【０００８】
図５は同じく従来の技術を示す受信機の動作のタイムチャートである。図示しない受信機の応答待ち時間は「１リング」とする。リング信号ＯＮ時間の最小値は２００ｍｓ（５１０）とする。モデム機能はＶ．３４、Ｖ．１７のどちらでもよい。
【０００９】
図示しない相手側の通信端末からファクシミリ通信が到来すると、交換機よりリング信号（５０１）が受信機に到来する。リング信号ＯＮ時間の最小値が２００ｍｓなので、ＯＮ時間０．４〜０．６秒のリング信号(５０１)は有効となる。
【００１０】
更に、応答待ち時間が「１リング」の設定なので、リング信号（５０１）の１発目のリング信号で、受信機は回線捕捉する（５１２）。リング信号（５０１）である情報受信端末起動信号（５０１）に対して、受信機が着信とするので、交換機がナンバーディスプレイシーケンスとして動作し、送信機の電話番号を含むＭＯＤＥＭ信号を送出する（５１３）。受信機はファクシミリ受信する為に、モデム機能がＶ．３４の場合、ＡＮＳａｍ信号（変形応答トーン）を送出し、Ｖ．１７モデムの場合、ＣＥＤ信号（２１００Ｈｚの単一トーン）を送出する。しかし、交換機がナンバーディスプレイシーケンスに入っている為、受信機より送信する信号が当該交換機によって遮断され、通信できない（５１４）こととなる。
【００１１】
図６は同じく従来の技術を示す受信機の動作タイムチャートである。受信機の応答待ち時間は、１０秒、１５秒、２０秒いずれであってもよく、ここでは１０秒（６１０）とする。リング信号ＯＮ時間の最小値は６５０ｍｓとする。モデム機能はＶ．３４、Ｖ．１７のどちらでもよい。
【００１２】
図示しない相手側の通信端末からファクシミリ通信が到来すると、交換機よりリング信号（６０１）が受信機に到来する。リング信号ＯＮ時間の最小値が６５０ｍｓなので、ＯＮ時間０．５秒のリング信号(６０１)では、有効とならない。
【００１３】
リング信号（６０１）である情報受信端末起動信号（６０１）で受信機が着信しないので、交換機がナンバーディスプレイシーケンスとして動作せず、送信機の電話番号を含むことを意味するＭＯＤＥＭ信号は送出されない（６１２）。交換機がナンバーディスプレイシーケンスでないと判断し、ある時間で、次のリング信号（６１３）を送出する。この信号は、ＯＮ時間が０．２５〜０．３秒なので、ＯＮ時間の最小値が６５０ｍｓに対して、有効でない。よって、受信機は、応答待ち時間のタイムアウト（６１４）になっても、着信できず通信に移行できない（６１５）こととなる。
【００１４】
図７同じく従来の技術を示す受信機の動作タイムチャートである。受信機の応答待ち時間は１０秒、１５秒、２０秒いずれであってもよく、ここでは１０秒（７１０）とする。リング信号ＯＮ時間の最小値は２００ｍｓ（７１１）とする。モデム機能はＶ．３４とする。
【００１５】
図示しない相手側の通信端末からファクシミリ通信が到来すると、交換機よりリング信号（７０１）が受信機に到来する。リング信号ＯＮ時間の最小値が２００ｍｓなので、ＯＮ時間０．４〜０．６秒のリング信号(７０１)は有効となる。
【００１６】
しかし、応答待ち時間が「１０秒」なので、リング信号（７０１）である情報受信端末起動信号（７０１）に対して、受信機は着信しないので、交換機がナンバーディスプレイシーケンスとして動作せず、送信機の電話番号を含むことを意味するＭＯＤＥＭ信号は送出されない（７１３）。交換機がナンバーディスプレイシーケンスでないと判断し、ある時間で次のリング信号（７１４）を送出する。この信号はＯＮ時間が０．２５〜０．３秒なので、ＯＮ時間の最小値が２００ｍｓに対して有効である。応答待ち時間のタイムアウト（７１５）で、受信機は回線を捕捉する（７１６）。しかし、回線がＩＰ回線に接続された場合、通信エラーとなる場合がある（７１６）。
【００１７】
以上のように従来では、ＩＰ回線でのパケットのディレイや破棄の発生の影響等で通信ができない場合がある。更に、交換機がナンバーディスプレイシーケンスに入っているため、受信機より送信機へ送出する信号が交換機で遮断され、その結果通信できない場合がある。更に、ＴＡ（ターミナルアダプタ）より発せられるリング信号が特殊なもので受信機が着信できない場合がある等の問題があった。その結果、種々の原因により、ファクシミリ受信ができないという問題があった。
【００１８】
本発明が解決しようとする課題は、通信網を例えばＩＰ回線に接続している場合であって、ナンバーディスプレイ・サービスに契約している場合において、確実に着信とすることによりファクシミリ信号を受信可能とすることにある。
【課題を解決するための手段】
【００１９】
前記課題を解決するために、特許請求の範囲の請求項１記載の発明は、通信先情報を報知する契約か否かを判断する通信先情報報知契約判断部と、前記通信先情報報知契約判断部が通信先情報報知契約であると判断した場合に、通信時間パラメータを変更する通信制御部とを有することを特徴とする通信端末装置である。
【００２０】
同じく、特許請求の範囲の請求項７記載の発明は、回線からのリング信号のＯＮ／ＯＦＦ時間を測定するリング信号時間測定工程と、前記リング信号時間測定工程による測定結果に基づいて、通信先情報報知契約かどうかを判断する通信先情報報知契約判断工程と、通信先情報報知契約判断工程による判断の結果、通信先情報報知契約である場合、通信時間パラメータを変更するパラメータ変更工程を含むことを特徴とする通信端末装置の受信制御方法である。
【発明の効果】
【００２１】
本発明によれば、通信網を例えばＩＰ回線に接続している場合であって、ナンバーディスプレイ・サービスに契約している場合において、確実に着信とすることによりファクシミリ信号を受信することが可能となる。
【発明を実施するための最良の形態】
【００２２】
（第１の実施の形態）
図１は第１の実施の形態に関する通信端末装置とＩＰ回線網との接続図である。ＩＰ回線網１０１はＴＡ（ターミナルアダプタ）１０２と接続される。ＴＡ（ターミナルアダプタ）１０２は通信端末装置１００内の回線制御部１０４と接続される。回線制御部１０４は原稿を読取るスキャナ部１０５と、記録媒体に画像を印刷する印刷部１０６とに接続される。スキャナ部１０５は前記印刷部１０６と接続される。スキャナ部１０５で読み取った原稿は、回線制御部１０４を通じて図示しない相手側の通信端末にファクシミリとして送られる。図示しない相手側の通信端末が読み取った原稿は、ファクシミリとして送られてきた場合、回線制御部１０４を通じて印刷部１０６にて印刷される。スキャナ部１０５で原稿をコピーとして読み取った場合は、印刷部１０６にて印刷される。
【００２３】
図２は第１の実施の形態における回線制御部１０４のブロック図である。２０１はファクシミリ通信が到来すると、回線がＩＰ回線に接続されているか否かを判断する回線判断部である。２０２は前記ＴＡ（ターミナルアダプタ）１０２から後述するリング信号が到来すると、当該リング信号のＯＮ時間とＯＦＦ時間の測定を行ない、測定値が情報受信端末起動信号の値であるかどうか判断するリング信号測定部である。２０３は前記リング信号測定部２０２から情報受信端末起動信号であるとの通知があると、後述するナンバーディスプレイ・サービスに契約していると判断する通信先情報報知契約判断部である。２０４は、後述する「応答待ち時間」や「リング信号ＯＮ時間の最小値」という通信時間パラメータを変更する通信制御部である。
【００２４】
前記ＴＡ（ターミナルアダプタ）１０２は、回線制御部１０４の回線判断部２０１とリング信号測定部２０２と通信制御部２０４とに接続される。回線判断部２０１は通信制御部２０４と接続される。リング信号測定部２０２は通信先情報報知契約判断部２０３と接続される。通信先情報報知契約判断部２０３は通信制御部２０４と接続され、通信制御部２０４は前記スキャナ部１０５と印刷部１０６と接続される。
【００２５】
まず、第１の実施の形態の動作について説明する。図３は第１の実施の形態における通信端末装置１００の動作タイムチャートである。図示しない相手側の通信端末からファクシミリ通信が到来すると、図示しない交換機よりリング信号（３０１）が前記通信端末装置１００に到来する。そのリング信号（３０１）は、情報受信端末起動信号（３０１）と呼ばれ（以下、リング信号又は情報受信端末起動信号という）、０．４〜０．６秒のＯＮ時間、０．４〜０．６秒のＯＦＦ時間、ＯＮ時間とＯＦＦ時間の合計が１秒の繰り返しの信号である。
【００２６】
この情報受信端末起動信号(３０１)を前記回線制御部１０４の前記リング信号測定部２０２にて、ＯＮ時間とＯＦＦ時間を測定（３０２）する。測定値が情報受信端末起動信号(３０１)としての値であると当該リング信号測定部２０２が判断した場合、リング信号測定部２０２は前記通信先情報報知契約判断部２０３に通知する。これを受けた通信先情報報知契約判断部２０３はナンバーディスプレイ・サービスに契約していると判断（３０３）する。尚、この「ナンバーディスプレイ・サービス」とは、発呼側からの報知内容（電話番号）を受信側の通信端末装置１００にて表示したり、音声で通知したりするサービスである。当該サービスは利用者が行なう契約に基づいて実行される（よって、当該サービスに関する以下の説明において、「ナンバーディスプレイ・サービスに契約しているかどうかの判断」とは「ナンバーディスプレイ・サービスが実行されるかどうかの判断」の意味である）。
【００２７】
前記通信先情報報知契約判断部２０３がナンバーディスプレイ・サービスに契約していると判断すると、前記通信制御部２０４は通信時間パラメータの一つである「応答待ち時間」を変更（３０４）する。この「応答待ち時間」とは、受信側の通信端末装置１００において、リング信号の到来から、着信があったとするまでの待ち時間であり、即ちリング信号（３０１）の到来からどの程度の待ち時間で着信があったとするかを設定した時間である。設定値として、例えば１リング後（１回のリング信号後着信させる）、５秒後（リング信号到来から５秒で着信させる）、１０秒後、１５秒後、２０秒後等がある。ここでは、設定を１０秒に設定変更したとする。
【００２８】
また、通信制御部２０４にて、もう一つの通信時間パラメータである「リング信号ＯＮ時間の最小値」を例えば現状６５０ｍｓとしているものを２００ｍｓに設定変更（３０５）する。この「リング信号ＯＮ時間の最小値」とは、リング信号として有効とされるためのリング信号のＯＮ時間の最小値であり、即ちリング信号のＯＮ時間の値が、最小値として設定された値より大きければリング信号として有効であることを意味する。ここではリング信号ＯＮ時間の最小値を２００ｍｓに設定変更したので、図３のリング信号（３０１）は十分着信が可能になる。
【００２９】
前述の通り応答待ち時間を「１０秒」に変更（３０４）したので、前記情報受信端末起動信号（３０１）に対しては、通信端末装置１００は未だこれを着信としない。これにより、交換機はＭＯＤＥＭ信号を送出しない（３０６）。この「ＭＯＤＥＭ信号」とは、送信側の通信端末装置の電話番号等を持つ信号であり、前記情報受信端末起動信号（３０１）が通信端末装置１００に着信した場合、交換機がナンバーディスプレイシーケンスとして動作し、送出するものである。交換機がナンバーディスプレイシーケンスでないと判断すると、ある時間で次のリング信号（３０７）を送出する。このリング信号（３０７）は、図３に示すようにＯＮ時間が０．２５〜０．３秒でダブルリングと呼ばれるものである。前述の通りリング信号ＯＮ時間の最小値を２００ｍｓに設定変更（３０５）したので、このリング信号（３０７）は有効である。
【００３０】
応答待ち時間のタイムアウト（３０８）で、通信端末装置１００は回線を捕捉する（３０９）。前記回線判断部２０１は、アナログ回線か否かを判断し、ＩＰ回線と判断した場合（３１０）、通信制御部２０４のモデム機能を、Ｖ．３４からＶ．１７に変更（３１１）する。以上のように、通信端末装置１００は正常に受信可能となる。
【００３１】
下記に、各部の詳細な動作を説明する。まずは、前記回線判断部２０１について説明する。図示しない相手側の通信端末からファクシミリ通信が到来する。回線判断部２０１にて、ＩＰ回線に接続されているか否かを自動的に判断する。これについて説明する。
【００３２】
図８は、ＩＰ回線に接続されているか否かの判断のための動作を説明するフローチャートである。特に、通信端末装置１００の受信時の動作である。通信端末装置１００は、自動受信あるいは手動受信の指示を受けると、受信制御をスタートさせる（ステップ２０１）。図示しないＩＰ網ＯＮ／ＯＦＦエリアの値を確認し、値がＯＮの場合は（ステップ２０２の結果がＹｅｓ）、Ｖ．１７モデムの制限速度を設定する。ステップ２０２の結果がＮｏの場合及びステップ２０３の設定後、設定したモデム速度等の通信能力を通知するための信号ＤＩＳを相手端末へ送出し（ステップ２０４）、相手端末からの信号ＤＣＳを受信する（ステップ２０６）。
【００３３】
続いて、そのときに設定したモデム速度で所定のモデムトレーニング手順を行って、相手端末との間で、そのときに使用するモデム速度を決定する（ステップ２０６）。次いで、画情報を受信する所定の画情報受信手順を行い（ステップ２０７）、この画情報受信を終了すると、回線を復旧して（ステップ２０８）、通信結果を図示しない通信管理記録保存エリアに格納し（ステップ２０９）、一連の動作を終了する。
【００３４】
この時、図９のフローに従って、ＩＰ網ＯＮ／ＯＦＦエリアの設定値を変更する。図９は同じくＩＰ回線に接続されているか否かの判断のための動作を説明するフローチャートである。同図は通信プロトコル変更時の動作である。前記図８は正常に通信が行われる際のフローであり、図示しない通信管理記録保存エリアには、正常終了として記録されるが、ＩＰ回線網１０１を使ってＩＴＵ−ＴのＶ.３４プロトコルで通信を行なう際には、ＩＰ網エラーが発生する場合があるので、通信管理記録保存エリアには、ＩＰ網特有のエラーが記録されることになる。その際に、図９のフローに従って、ＩＰ網ＯＮ／ＯＦＦエリアの設定値を変更する。
【００３５】
まず、図示しない通信管理記録保存エリアの最新の結果と、図示しないＩＰ網エラーテーブルとを照合し（ステップ３０１）、エラーがＩＰ網エラーテーブルに合致した場合（ステップ３０２でＹｅｓ）、は、図示しないＩＰ網エラー回数エリアの値をカウントアップする（ステップ３０３）。更に、図示しない通信トータル回数エリアの値もカウントアップし（ステップ３０４）、図示しないエラー頻度算出部にてＩＰ網エラーの発生頻度を算出する（ステップ３０５）。
【００３６】
図示しないＩＰ網判定部では、算出したＩＰ網エラーの発生頻度が一定値（２％）以上の場合は（ステップ３０６でＹｅｓ）、ＩＰ網ＯＮ／ＯＦＦエリアの値をＯＮとし（ステップ３０７）、算出したＩＰ網エラーの発生頻度が一定値(２％)を超えていない場合は（ステップ３０６でＮｏ）、ＩＰ網ＯＮ／ＯＦＦエリアの値をＯＦＦとする（ステップ３０８）。
【００３７】
このように、ＩＰ網ＯＮ／ＯＦＦエリアの値にて、ＩＰ回線に接続されているか否かを判断する。ＩＰ回線に接続されている場合、通信制御部２０４にＶ.１７モデム機能として動作するようにする。この場合の伝送レートは１４．４Ｋｂｐｓとなる。ＩＰ回線に接続されていない場合、通信制御部２０４にＶ.３４モデム機能として動作するようにする。この場合の伝送レートは３３．６Ｋｂｐｓとなる。
【００３８】
次に、前記リング信号測定部２０２が行なうリング信号の時間測定について説明する。図１０はリング信号の時間測定を示す説明図である。ＴＡ（ターミナルアダプタ）１０２からリング信号が到来すると、リング信号測定部２０２は、リング信号のＯＮ時間とＯＦＦ時間の測定を行なう。最初のリング信号ＯＮ時間３１により、リング信号測定部２０２はリング信号有り２１を検出する。当該リング信号ＯＮ時間３１から、リング信号ＯＦＦ時間３２に変化することにより、当該リング信号測定部２０２はリング信号無し２２を検出する。リング信号測定部２０２は前記リング信号有り２１からリング信号無し２２までの時間を測定し、リング信号ＯＮ時間測定値２５を出力する。
【００３９】
更に、前記リング信号ＯＦＦ時間３２から、次のリング信号ＯＮ時間３３に変化することにより、リング信号測定部２０２はリング信号有り２３を検出する。リング信号測定部２０２はこのリング信号無し２２からリング信号有り２３までの時間を測定し、リング信号ＯＦＦ時間測定値２６を出力する。
【００４０】
図１１はナンバーディスプレイ・サービスに契約している場合のリング信号を示す説明図である。同図におけるリング信号の規定に示すように、ナンバーディスプレイ・サービスに契約している場合は、交換機から到来するリング信号のＯＮ時間が０．４〜０．６秒、ＯＦＦ時間が０．４〜０．６秒で、ＯＮ時間とＯＦＦ時間の合計が１秒となる。
【００４１】
また、図１２はナンバーディスプレイ・サービスに契約していない場合のリング信号を示す説明図である。同図における通常のリング信号（４８０）の規定に示すように、ナンバーディスプレイ・サービスに契約していない時は、リング信号ＯＮ時間が１秒、ＯＦＦ時間が２秒である。
【００４２】
図１３は通信先情報報知契約判断の動作を示すフローチャートである。図１０に示すように、前記リング信号測定部２０２にて測定した前記リング信号ＯＮ時間測定値２５と前記リング信号ＯＦＦ時間測定値２６を通信先情報報知契約判断部２０３でどのように処理するか説明する。前記リング信号測定部２０２にて測定したリング信号ＯＮ時間測定値２５とリング信号ＯＦＦ時間測定値２６は、通信先情報報知契約判断部２０３において、まずリング信号ＯＮ時間測定値２５＝０．４〜０．６秒かどうかを判断する（ステップ６０１）。範囲内の場合はリング信号ＯＦＦ時間測定値２６＝０．４〜０．６秒かどうかを判断する（ステップ６０２）。範囲内の場合はナンバーディスプレイ・サービスに契約と判断する（ステップ６０３）。
【００４３】
通信先情報報知契約判断部２０３はナンバーディスプレイ・サービスに契約と判断すると、前記通信制御部２０４に、応答待ち時間を受信側の通信端末装置１００が情報受信端末起動信号で着信しないような時間に設定する。ここでは、例えば１リングや５秒の設定となっていた場合１０秒に設定する。最初から例えば１０秒、１５秒、２０秒に設定されていた場合は、変える必要は無い。もし、１リングや５秒の設定となっていて、１０秒に変更した場合には、通信終了後、ユーザーに変更を通知する意味で、変更内容を印刷してもよい。
【００４４】
次に前記ステップ６０１において、リング信号ＯＮ時間測定値２５＝０．４〜０．６秒の範囲外の場合（ステップ６０１のＮｏ）は、リング信号ＯＮ時間測定値２５＝５７５〜１６１２．５ｍｓかどうかを判断する（ステップ６０５）。範囲内の場合は、リング信号ＯＦＦ時間測定値２６＝１４２５〜２８８７．５ｍｓかどうかを判断する（ステップ６０６）。範囲内の場合は、ナンバーディスプレイ・サービスに契約していないと判断する（ステップ６０７）。通信制御部２０４に、特に応答待ち時間の変更の指示を出さず、最初の設定値のままとする。
【００４５】
前記ステップ６０２において、リング信号ＯＦＦ時間測定値２６＝０．４〜０．６秒の範囲外の場合（ステップ６０２のＮｏ）は、リング信号ＮＧ（ステップ６０４）とする。また、前記ステップ６０５におけるリング信号ＯＮ時間測定値２５＝５７５〜１６１２．５ｍｓの範囲外及び、前記ステップ６０６におけるリング信号ＯＦＦ時間測定値２６＝１４２５〜２８８７．５ｍｓの範囲外の場合は、リング信号ＮＧ（ステップ６０８）とする。いずれの場合も正規のリング信号と扱わず、通信端末装置１００を着信に移行させない。
【００４６】
前記ステップ６０３において、ナンバーディスプレイ・サービスに契約と判断の場合、前述の通り、情報受信端末起動信号で着信しないような時間に通信制御部２０４に対して応答待ち時間の設定を変更するが、この場合、交換機は二次応答信号待ち状態となり、リング信号を通信端末装置１００に送出する。この時のリング信号は、図１２に示す通常のリング信号（４８０）のようなＯＮ時間とＯＦＦ時間となる。
【００４７】
ここで、図１４はＴＡ（ターミナルアダプタ）１０２から到来するリング信号の一例を示す説明図である。ＴＡ（ターミナルアダプタ）１０２によっては、図１４に示す内線呼出信号（９２０）の規定のような、ダブルリングと呼ばれるＯＮ時間とＯＦＦ時間を送出するものもある。このとき、図１２に示す通常のリング信号（４８０）のＯＮ時間＝１秒、ＯＦＦ時間＝２秒で着信とするように、ＯＮ時間の最小値のパラメータを例えば６５０ｍｓとしている。これは、ＯＮ時間が６５０ｍｓ以上あれば有効だからである。しかし、図１４に示す内線呼出信号（９２０）のＯＮ時間が０．２５〜０．３秒であるから、６５０ｍｓのパラメータ値では、リング信号ＯＮ時間として不十分であり、通信端末装置１００が着信に移行しないこととなる。
【００４８】
そこで、ナンバーディスプレイ・サービスに契約と判断（ステップ６０３）に進んだ場合、リング信号ＯＮ時間の最小値のパラメータを例えば２００ｍｓに変更して、通信制御部２０４に通知し、図１４に示す内線呼出信号（９２０）でも通信端末装置１００を着信に移行させるようにする（図３のリング信号（３０７）参照）。尚、リング信号ＯＮ時間の最小値のパラメータが、例えば２００ｍｓの場合、図１２のリング信号でも、着信に移行するので、問題は無いこととなる。
【００４９】
以上のように、第１の実施の形態によれば、ＩＰ回線でのパケットのディレイや破棄の発生の影響を避け、ナンバーディスプレイシーケンス時に受信機側から送信機へ発する信号が交換機で遮断されることがなくなり、ＴＡ（ターミナルアダプタ）より発せられるリング信号が特殊なものでも受信機が着信可能となり、常にファクシミリを受信できるという効果が得られる。
【００５０】
（第２の実施の形態）
次に第２の実施の形態について説明する。図１５は第２の実施の形態における回線制御部１０４のブロック図である。第２の実施の形態は、前記図２に示す第１の実施の形態における回線制御部１０４の構成要素に対して、ＭＯＤＥＭ信号解析部９０１が追加されている。他の構成要素は前記第１の実施の形態の構成要素と同じであるので、同一符号を付してある。
【００５１】
ＭＯＤＥＭ信号解析部９０１は、ＴＡ（ターミナルアダプタ）１０２とスキャナ部１０５に接続されている。当該ＭＯＤＥＭ信号解析部９０１は、図示しない交換機からのＭＯＤＥＭ信号を解析して、発呼側の電話番号の情報を得る。発呼側の電話番号は図示しない出力手段としてのＬＣＤに表示するように制御する。
【００５２】
図１６は第２の実施の形態における動作タイムチャートである。図示しない相手側の通信端末からファクシミリ通信が到来すると、交換機よりリング信号（８０１）が通信端末装置１００に到来する。これを回線制御部１０４のリング信号測定部２０２にて、ＯＮ時間とＯＦＦ時間を測定（８０２）する。測定値が情報受信端末起動信号(８０１)の時間であるとリング信号測定部２０２が判断した場合、リング信号測定部２０２は通信先情報報知契約判断部２０３に通知する。通信先情報報知契約判断部２０３はこれを受信すると、ナンバーディスプレイ・サービスに契約していると判断（８０３）する。
【００５３】
通信先情報報知契約判断部２０３はナンバーディスプレイ・サービスに契約していると判断すると、通信制御部２０４がリング信号ＯＮ時間の最小値を６５０ｍｓから２００ｍｓに変更する(８０４)。情報受信端末起動信号（８０５）にて、通信制御部２０４の応答待ち時間がいずれの値に設定されていても、ここで通信端末装置１００は回線を捕捉する（８０６）ものとする。これにより、交換機はＭＯＤＥＭ信号を送出する（８０７）。
【００５４】
ＭＯＤＥＭ信号解析部９０１は、ＭＯＤＥＭ信号を解析する（８０８）。これによって、ＭＯＤＥＭ信号解析部９０１は発呼側の電話番号の情報を得て、発呼側の電話番号の情報をスキャナ部１０５へ送る。スキャナ部１０５は、図示しないメモリで、発呼側の電話番号の情報を保持する。
【００５５】
通信端末装置１００は、ＭＯＤＥＭ信号の受信が完了したことを交換機に伝えるために、一度回線を切断する（８０９）。これにより、交換機は、リング信号を再び通信端末装置１００へ送出する（８１０）。この時のリング信号は、図１２に示すリング信号(４８０)の規定か、図１４に示す内線呼出信号(９２０)の規定のいずれかである。この図１２に示す通常リング信号(４８０)の場合は、パラメータを例えば２００ｍｓとしているので、通信端末装置１００は着信可能である。
【００５６】
通常のリング信号（４８０）あるいは内線呼出信号（９２０）のリングが到来したら、通信制御部２０４は、通信端末装置１００を着信に移行させる前に、スキャナ部１０５の図示しない出力手段としてのＬＣＤ等に発呼側の電話番号を表示させ、あるいは図示しないスピーカー等で音声によって通知するように指示する。通信端末装置１００は、応答待ち時間の規定値に従って、回線を捕捉する。ここでは、１リングの設定とする（８１１）。回線判断部２０１はアナログ回線か否かを判断し、ＩＰ回線と見なした場合（８１２）、通信制御部２０４のモデム機能をＶ．３４からＶ．１７に変更する（８１３）。以上のように、通信端末装置１００は正常に受信可能となる。
【００５７】
応答待ち時間の規定値が、１リングや５秒になっていた場合、通信終了後、ユーザーにナンバーディスプレイの電話番号の表示を行なうことや、音声によって通知することにより、応答待ち時間の設定に対して、着信への移行が遅れたことを通知する内容を印刷してもよい。
【００５８】
以上のように、第２の実施の形態によれば、ＭＯＤＥＭ信号解析部９０１を設けたので、発呼側の電話番号を抽出して表示が可能となるという効果が得られる。
本発明によれば、通信端末装置として例えばＭＦＰやファクシミリ等があるが、スキャナとプリンタをネットワークを介して接続された複合システムにも利用できる。
【図面の簡単な説明】
【００５９】
【図１】第１の実施の形態に関する通信端末装置とＩＰ回線網との接続図である。
【図２】第１の実施の形態における回線制御部のブロック図である。
【図３】第１の実施の形態における通信端末装置の動作タイムチャートである。
【図４】従来の技術を示す受信機の動作タイムチャートである。
【図５】同じく従来の技術を示す受信機の動作のタイムチャートである。
【図６】同じく従来の技術を示す受信機の動作タイムチャートである。
【図７】同じく従来の技術を示す受信機の動作タイムチャートである。
【図８】ＩＰ回線に接続されているか否かの判断のための動作を説明するフローチャートである。
【図９】同じくＩＰ回線に接続されているか否かの判断のための動作を説明するフローチャートである。
【図１０】リング信号の時間測定を示す説明図である。
【図１１】ナンバーディスプレイ・サービスに契約している場合のリング信号を示す説明図である。
【図１２】ナンバーディスプレイ・サービスに契約していない場合のリング信号を示す説明図である。
【図１３】通信先情報報知契約判断の動作を示すフローチャートである。
【図１４】ＴＡ（ターミナルアダプタ）から到来するリング信号の一例を示す説明図である。
【図１５】第２の実施の形態における回線制御部のブロック図である。
【図１６】第２の実施の形態における動作タイムチャートである。
【符号の説明】
【００６０】
１００      通信端末装置
１０４      回線制御部
２０１      回線判断部
２０２      リング信号測定部
２０３      通信先情報報知契約判断部
２０４      通信制御部
９０１      ＭＯＤＥＭ信号解析部
【図１】
2010004313.tif 000003
【図２】
2010004313.tif 000004
【図３】
2010004313.tif 000005
【図４】
2010004313.tif 000006
【図５】
2010004313.tif 000007
【図６】
2010004313.tif 000008
【図７】
2010004313.tif 000009
【図８】
2010004313.tif 000010
【図９】
2010004313.tif 000011
【図１０】
2010004313.tif 000012
【図１１】
2010004313.tif 000013
【図１２】
2010004313.tif 000014
【図１３】
2010004313.tif 000015
【図１４】
2010004313.tif 000016
【図１５】
2010004313.tif 000017
【図１６】
2010004313.tif 000018